(57)【要約】【課題】  本発明の目的とするところは、表示パネルを所定の曲率を有するように前方が凹状に湾曲する曲面ディスプレイ装置を提供することにある。【解決手段】  本発明の一実施形態に係る曲面ディスプレイ装置は、可とう性（ｆｌｅｘｉｂｉｌｉｔｙ）を有する表示パネルと、曲率を有するように湾曲形成され、前記表示パネルが固定される固定部材とを含み、前記表示パネルは、前記固定部材側に引っ張られると同時に、前記固定部材に沿って湾曲形成される。【選択図】      図１
2014095901.tif 000002
【特許請求の範囲】
【請求項１】
可とう性（ｆｌｅｘｉｂｉｌｉｔｙ）を有する表示パネルと、
曲率を有するように湾曲形成され、前記表示パネルが固定される固定部材と
を含み、
前記表示パネルは、前記固定部材側に引っ張られると同時に、前記固定部材に沿って湾曲形成される曲面ディスプレイ装置。
【請求項２】
前記固定部材は、
湾曲形成されたボトムシャーシと、
前記ボトムシャーシに沿って湾曲状態で結合され、前記表示パネルが固定されるモールディング部材と
を含むことを特徴とする請求項１に記載の曲面ディスプレイ装置。
【請求項３】
前記表示パネルは、前記モールディング部材に付着されることを特徴とする請求項２に記載の曲面ディスプレイ装置。
【請求項４】
前記表示パネルと前記モールディング部材との間に両面テープが配置されることを特徴とする請求項３に記載の曲面ディスプレイ装置。
【請求項５】
前記表示パネルは、前記モールディング部材に分離自在に結合されることを特徴とする請求項２に記載の曲面ディスプレイ装置。
【請求項６】
前記表示パネルは、前記表示パネルの背面のエッジに沿って複数の係止部材（ｌｏｃｋｉｎｇ  ｍｅｍｂｅｒｓ）が備えられ、
前記モールディング部材は、前記複数の係止部材にそれぞれ分離自在に結合される複数の結合突起を備えることを特徴とする請求項５に記載の曲面ディスプレイ装置。
【請求項７】
前記表示パネルは、前記表示パネルの背面のエッジに沿って複数のフック部材が備えられ、
前記モールディング部材は、前記複数のフック部材がスナップ結合される複数の結合溝を備えることを特徴とする請求項５に記載の曲面ディスプレイ装置。
【請求項８】
前記モールディング部材または前記ボトムシャーシは、前記表示パネルのエッジを固定する複数の固定突起を備えることを特徴とする請求項５に記載の曲面ディスプレイ装置。
【請求項９】
前記複数の固定突起は、間隔を置いて前記表示パネルのエッジに沿って配置されることを特徴とする請求項８に記載の曲面ディスプレイ装置。
【請求項１０】
前記モールディング部材は、可とう性材質からなることを特徴とする請求項２に記載の曲面ディスプレイ装置。
【請求項１１】
前記ボトムシャーシは、曲率の変形を防止するように形状補強手段が結合されることを特徴とする請求項２に記載の曲面ディスプレイ装置。
【請求項１２】
前記形状補強手段は、前記ボトムシャーシの床部に固定されるハニーコーム（ｈｏｎｅｙ−ｃｏｍｂ）構造またはコルゲーション（ｃｏｒｒｕｇａｔｉｏｎ  ｓｔｒｕｃｔｕｒｅ）構造を有するコアであることを特徴とする請求項１１に記載の曲面ディスプレイ装置。
【請求項１３】
前記形状補強手段は、前記コアを覆うカバー部材を更に含むことを特徴とする請求項１２に記載の曲面ディスプレイ装置。
【請求項１４】
前記ボトムシャーシに結合され、前記表示パネルの底面のエッジ部分を隠すトップシャーシを更に含むことを特徴とする請求項２に記載の曲面ディスプレイ装置。
【請求項１５】
前記表示パネルは、ＬＣＤ（Ｌｉｑｕｉｄ  Ｃｒｙｓｔａｌ  Ｄｉｓｐｌａｙ）パネルまたはＯＬＥＤ（Ｏｒｇａｎｉｃ  Ｌｉｇｈｔ  Ｅｍｉｔｔｉｎｇ  Ｄｉｏｄｅ）パネルであることを特徴とする請求項１に記載の曲面ディスプレイ装置。
【発明の詳細な説明】
【技術分野】
【０００１】
本発明は、曲面ディスプレイ装置に関し、より詳細には、表示パネルが曲率を有するように湾曲支持される曲面ディスプレイ装置に関する。
【背景技術】
【０００２】
近来、画面の大型化が加速化している液晶画面装置はテレビ受信機の表示装置として使用される同時に、テレビ受信機の大型化が行われている。このようなテレビ受信機に使用される液晶表示装置の大きさは、４０〜６０インチが主流となっており、最近は８０インチの液晶表示装置を備えた超大型テレビが量産されている。
【０００３】
しかし、テレビの画面が大型化するにつれ、視聴者が画面の中央部を観る場合と、画面の左右両端を観る場合とにおいて、視覚差が大きくなる問題があった。
【０００４】
すなわち、視聴者が大型テレビの中央に対応する位置から画面に映る映像を見る際、画面の中央部分の映像は鮮明に認知することができるが、画面の中央から次第に視線を左側または右側に移すほど、ぼやけて見えたり、周辺の照明によって画面に光が反射されることにより、画面が鮮明に見えなくなるという問題点があった。
【先行技術文献】
【特許文献】
【０００５】
【特許文献１】米国登録特許第７、１９０、５０３号
【発明の概要】
【発明が解決しようとする課題】
【０００６】
そこで、本発明は、上記問題に鑑みてなされたものであり、本発明の目的とするところは、表示パネルを所定の曲率を有するように前方が凹状に湾曲する曲面ディスプレイ装置を提供することにある。
【課題を解決するための手段】
【０００７】
前記目的を達成するために、本発明は、可とう性（ｆｌｅｘｉｂｉｌｉｔｙ）を有する表示パネルと、曲率を有するように湾曲形成され、前記表示パネルが固定される固定部材とを含み、前記表示パネルは、前記固定部材側に引っ張られると同時に、前記固定部材に沿って湾曲形成される曲面ディスプレイ装置を提供する。
【０００８】
前記固定部材は、湾曲形成されたボトムシャーシと、前記ボトムシャーシに沿って湾曲状態で結合され、前記表示パネルが固定されるモールディング部材とを含んでよい。
【０００９】
前記表示パネルは、前記モールディング部材に付着されてよい。この場合、前記表示パネルと前記モールディング部材との間に両面テープが配置されてよい。
【００１０】
前記表示パネルは、前記モールディング部材に分離自在に結合されてよい。
【００１１】
前記表示パネルは、前記表示パネルの背面のエッジに沿って複数の係止部材（ｌｏｃｋｉｎｇ  ｍｅｍｂｅｒｓ）が備えられ、前記モールディング部材は、前記複数の係止部材にそれぞれ分離自在に結合される複数の結合突起を備えてよい。
【００１２】
前記表示パネルは、前記表示パネルの背面のエッジに沿って複数のフック部材が備えられ、前記モールディング部材は、前記複数のフック部材がスナップ結合される複数の結合溝を備えてよい。
【００１３】
前記モールディング部材または前記ボトムシャーシは、前記表示パネルのエッジを固定する複数の固定突起を備えてよい。この場合、前記複数の固定突起は、間隔を置いて前記表示パネルのエッジに沿って配置されてよい。
【００１４】
前記モールディング部材は、可とう性材質からなってよい。
【００１５】
前記ボトムシャーシは、曲率の変形を防止するように形状補強手段が結合されてよい。前記形状補強手段は、前記ボトムシャーシの床部に固定されるハニーコーム（ｈｏｎｅｙ−ｃｏｍｂ）構造またはコルゲーション（ｃｏｒｒｕｇａｔｉｏｎ  ｓｔｒｕｃｔｕｒｅ）構造を有するコアからなってよい。この場合、前記形状補強手段は、前記コアを覆うカバー部材を更に含んでよい。
【００１６】
本発明は、前記ボトムシャーシに結合され、前記表示パネルの底面のエッジ部分を隠すトップシャーシ（または、ベゼル）を更に含んでよい。
【００１７】
前記固定部材は、単一曲率または多重曲率で形成されてよい。
【００１８】
前記表示パネルは、単一曲率または多重曲率で保持されてよい。
【００１９】
前記表示パネルは、ＬＣＤ（Ｌｉｑｕｉｄ  Ｃｒｙｓｔａｌ  Ｄｉｓｐｌａｙ）パネルまたはＯＬＥＤ（Ｏｒｇａｎｉｃ  Ｌｉｇｈｔ  Ｅｍｉｔｔｉｎｇ  Ｄｉｏｄｅ）パネルからなってよい。
【００２０】
前記表示パネルは、ランドスケープ（ｌａｎｄｓｃａｐｅ）タイプまたはポートレート（ｐｏｒｔｒａｉｔ）タイプで配置されてよい。
【発明の効果】
【００２１】
以上説明したように、本発明によれば、平板であるディスプレイパネルを所定の曲率で安定して湾曲することができるという利点がある。
【図面の簡単な説明】
【００２２】
【図１】本発明の第１実施形態に係る曲面ディスプレイ装置を示す分解斜視図である。
【図２Ａ】図１に示す曲面ディスプレイ装置の組立て状態の断面図である。
【図２Ｂ】図２Ａに示された部分“Ａ”を示す拡大図である。
【図３】図２Ａに示す曲面ディスプレイ装置の前面を示す図である。
【図４】本発明の第１実施形態に係る曲面ディスプレイ装置内に互いに異なる形状の強度補強部材を備えた例を示す断面図である。
【図５】本発明の第１実施形態に係る曲面ディスプレイ装置内に互いに異なる形状の強度補強部材を備えた例を示す断面図である。
【図６Ａ】本発明の第２実施形態に係る曲面ディスプレイ装置を示す断面図である。
【図６Ｂ】図６Ａに示された部分“Ｂ”を示す拡大図である。
【図７】図６Ａに示す表示装置の背面を示す図である。
【図８】図６Ａに示す複数の係止部材が表示パネルの背面に固定された状態を示す図である。
【図９】図６Ａに示すモールディング部材を示す斜視図である。
【図１０Ａ】本発明の第３実施形態に係る曲面ディスプレイ装置を示す断面図である。
【図１０Ｂ】図１０Ａに示された部分“Ｃ”を示す拡大図である。
【図１１】図１０Ａに示すモールディング部材を示す斜視図である。
【図１２Ａ】本発明の第４実施形態に係る曲面ディスプレイ装置を示す断面図である。
【図１２Ｂ】図１２Ａに示された部分“Ｄ”を示す拡大図である。
【図１３Ａ】本発明の第５実施形態に係る曲面ディスプレイ装置を示す断面図である。
【図１３Ｂ】図１３Ａに示された部分“Ｅ”を示す拡大図である。
【図１４】図１３Ａに示すモールディング部材を示す斜視図である。
【発明を実施するための形態】
【００２３】
以下、添付の図を参照して本発明に係る実施形態について詳細に説明する。以下で説明される実施形態は、発明の理解を促すために、例示的に示すものであり、本発明は、ここで説明される実施形態と異なるように多様に変形されて実施可能であることを理解すべきである。但し、以下で本発明を説明するうえで、関連の公知機能又は構成要素に対する具体的な説明が、本発明の要旨を無闇に曖昧にすると判断される場合、その詳細な説明及び具体的な図示を省略する。なお、添付の図は、発明の理解を促すために、添付図面は実際の寸法で示されたものではなく、一部の構成要素のみを拡大して示すことがある。
【００２４】
以下、添付の図面を参照し、本発明に係る曲面ディスプレイ装置をより詳細に説明する。
【００２５】
以下、図１ないし図２Ｂを参照し、本発明の第１実施形態に係る曲面ディスプレイ装置１００を説明する。
【００２６】
図１は、本発明の第１実施形態に係る曲面ディスプレイ装置１００の分解された状態を示す分解斜視図である。特に、直下型バックライトアセンブリを有するランドスケープタイプの凹状曲面ディスプレイ装置１００が示される。図２Ａは、図１に示す曲面ディスプレイ装置１００の組合せ状態の断面を示し、図２Ｂは、図２Ａに示された部分“Ａ”を拡大した図である。前記図２Ａおよび図２Ｂは、説明の便宜のために、光源１３４ａおよび光源１３４ａが実装される印刷回路基板１３４の図示を省略している。
【００２７】
図１を参照すると、曲面ディスプレイ装置１００は、表示パネル１１０と、エッジ型バックライトアセンブリ１３０と、ボトムシャーシ（ｂｏｔｔｏｍ  ｃｈａｓｓｉｓ）１５０およびモールディング（ｍｏｌｄｉｎｇ）部材１７０を含む。
【００２８】
前記表示パネル１１０およびエッジ型バックライトアセンブリ１３０は、本実施形態において表示部材で定義されてよい。図６に示す曲面ディスプレイ装置１００は、コンピュータ用モニタ等のような中大型曲面ディスプレイ装置か、大画面テレビ等のような大きな画面を有する大型表示装置等として利用されてよい。更に、本発明の実施形態において説明する表示パネル１１０は、液晶表示パネル（Ｌｉｑｕｉｄ  Ｃｒｙｓｔａｌ  Ｄｉｓｐｌａｙ  Ｐａｎｅｌ）を例に挙げて説明するが、それに限定されず、液晶表示パネルのような可とう性を有するＯＬＥＤ（Ｏｒｇａｎｉｃ  Ｌｉｇｈｔ  Ｅｍｉｔｔｉｎｇ  Ｄｉｏｄｅ）パネル等を適用することも可能である。
【００２９】
前記表示パネル１１０は、アレイ基板１１２と、前記アレイ基板１１２と対向するカラーフィルタ基板１１４と、前記アレイ基板１１２および前記カラーフィルタ基板１１４の間に介在された液晶層（図示せず）を含むことができる。前記カラーフィルタ基板１１４の大きさは、前記アレイ基板１１２より小さい。それにより、前記カラーフィルタ基板１１４によってカバーされていない領域は露出される。露出された領域にはパッド部は形成される。
【００３０】
前記アレイ基板１１２は、スイッチング素子である薄膜トランジスタ（Ｔｈｉｎ  Ｆｉｌｍ  Ｔｒａｎｓｉｓｔｏｒ：以下、ＴＦＴという）がマトリックス形態で形成された基板である。前記ＴＦＴのソース端子およびゲート端子には、それぞれデータラインおよびゲートラインが連結され、ドレイン端子には透明な導電性材質からなる画素電極が連結される。前記アレイ基板１１２の非表示領域には、前記データラインで伸長されたデータパッド部が配置される。図示はしていないが、前記ゲートラインで伸長されたゲートパッド部が更に配置されてよい。
【００３１】
前記カラーフィルタ基板１１４は、前記アレイ基板１１２と対向して配置され、色を実現するためのＲＧＢ画素が薄膜形態で形成された基板である。前記カラーフィルタ基板１１４には、前記アレイ基板１１２に形成された前記画素電極と対向するように、透明な導電性材質からなる共通電極が形成される。
【００３２】
一方、前記表示パネル１１０は、カラーフィルタが形成されたアレイ基板と前記アレイ基板とに対向する共通電極が形成された対向基板を含むことができる。
【００３３】
前記表示パネル１１０で前記ＴＦＴのゲート端子に電源が印加され、前記ＴＦＴがターンオン（Ｔｕｒｎ  ｏｎ）されると、前記画素電極と前記共通電極との間に電界が形成される。このような前記電界によって前記アレイ基板１１２と前記カラーフィルタ基板１１４との間に配置された前記液晶層の液晶配列が変化され、液晶の配列変化に応じて、光透過度が変更されて所望の階調の映像を表示することができる。
【００３４】
前記表示パネル１１０は、前記アレイ基板１１２の下側に配置された第１偏光フィルム１１６および前記カラーフィルタ基板１１４の上側に配置された第２偏光フィルム１１８を更に含むことができる。前記第１偏光フィルム１１６は、第１方向の透過軸を含み、光を第１方向に偏光させる。前記第２偏光フィルム１１８は、第２方向の透過軸を含み、光を第２方向に偏光させる。一例として、前記第１偏光フィルム１１６の透過軸と前記第２偏光フィルム１１８の透過軸とは、互いに垂直に配置されてよい。
【００３５】
前記エッジ型バックライトアセンブリ１３０は、前記表示パネル１１０の下部に配置され、前記表示パネル１１０に光を提供する。本発明は、直下型バックライトアセンブリとエッジ型アセンブリのうち、いずれか一方を適用することができ、本発明の実施形態においては、エッジ型バックライトアセンブリ１３０を適用することを例として挙げて説明する。一方、直下型（ｄｉｒｅｃｔ  ｔｙｐｅ）バックライトアセンブリは拡散板（図示せず）の下部面に複数の光源を配置させ、前記表示パネル１１０の背面に光を誘導する構造を有する。
【００３６】
前記エッジ型バックライトアセンブリ１３０は、導光板１３２の側面に対向するように配置された複数の光源１３４ａと、前記表示パネル１１０と導光板１３２との間に配置された複数の光学シート類（図示せず）を含む。
【００３７】
このようなエッジ型バックライトアセンブリは、導光板１３２を介して光源から入射される線光または点光を平面光に変換し、光源シート類（図示せず）を通じて変換された平面光を前記表示パネル１１０の背面に誘導する。
【００３８】
光学シート類（図示せず）は、前記導光板１３２の上側に配置され、導光板１３２から入射される光の効率を増加させる。このような光学シート類は、導光板１３２によって拡散された光を再度拡散させる拡散シートおよび前記拡散シートによって拡散された光を正面に集光するプリズムシートを含むことができる。一例として、前記プリズムシートは、光を垂直方向に集光させる垂直プリズムシートと光を水平方向に集光させる水平プリズムシートとを含むことができる。
【００３９】
図２Ａを参照すると、ボトムシャーシ１５０は、床部１５１および前記床部１５１のエッジから伸長されて収納空間を形成する側壁１５３で構成される。前記ボトムシャーシ１５０は、表示パネル１１０の下に配置され、反射板（図示せず）、導光板１３２、光源１３４ａが実装された印刷回路基板１３４および光学シート類（図示せず）を収納することができる。ここで、前記光源１３４ａは、印刷回路基板１３４の片面に間隔を置いて配置され、前記印刷回路基板１３４は一対が備えられてよく、ボトムシャーシ１５０の側壁１５３のうち、対向する両側壁にそれぞれ配置されてよい。
【００４０】
前記ボトムシャーシ１５０は、表示パネル１１０が所定の曲率を保持するようにガイドし、特に、曲率の変形を防止するように所定の剛性を有する金属材や合成樹脂材等からなることが望ましい。この場合、ボトムシャーシ１５０は、表示パネル１１０全体が単一曲率からなるか、または、表示パネル１１０が所定の区間別に互いに異なる曲率からなる多重曲率からなるようにガイドすることができる。ここで、多重曲率は、例えば、放物線形状のように表示パネル１１０の中央部分の曲率より左右側の曲率が更に小さく形成されてよい。
【００４１】
なお、ボトムシャーシ１５０は、表示パネル１１０を上記のように、単一曲率または多重曲率を有するように、視聴者の観点から眺める際、凹状に湾曲形成される。
【００４２】
モールディング部材１７０は、前記表示パネル１１０と前記ボトムシャーシ１５０との間に配置される。前記モールディング部材１７０は、前記表示パネル１１０を支持すると同時に、光学シート類および導光板１３２をボトムシャーシ１５０に固定させることができる。
【００４３】
前記モールディング部材１７０は、略ボトムシャーシ１５０の側壁１５３の外郭に対応する形状を有する第１部分１７１と、第１部分１７１の下端から所定の長さ伸長形成される第２部分１７３と、前記第１部分１７１の内側に沿って形成される支持リブ１７５とを含む。
【００４４】
前記第１部分１７１は、ボトムシャーシ１５０の側壁１５３の先端１５３ａに沿って配置され、第２部分１７３は、ボトムシャーシ１５０の側壁１５３の内側面に沿って配置される。この場合、モールディング部材１７０の第２部分１７３とボトムシャーシ１５０の側壁１５３とは、複数の締結手段（ねじ、ボルト等）（図示せず）によって相互固定結合されたり、接着剤または両面テープを通じてボンディング結合されてよい。
【００４５】
支持リブ１７５は、第１部分１７１と第２部分１７３との略境界になる部分からモールディング部材１７０の内側に向かって所定の長さ突出形成される。前記支持リブ１７５は、端部が導光板１３２を支持し、同時に表示パネル１１０と対向する支持リブ１７５の上面に接着部材１８０が付着される。
【００４６】
前記モールディング部材１７０は、所定の剛性を有すると同時に可とう性を有する材質からなるため、図１のように、ボトムシャーシ１５０に結合する前には、略曲率がない状態であり、所定の締結手段（図示せず）を介してボトムシャーシ１５０に結合されると、図２Ａのように、ボトムシャーシ１５０が有する曲率に対応する形状に湾曲形成されてよい。
【００４７】
前記表示パネル１１０は、接着部材１８０（例えば、両面に接着材が塗布された両面テープであってよい）を通じてボトムシャーシ１５０の曲率に応じて湾曲形成されたモールディング部材１７０に固定されてよい。モールディング部材１７０に固定された表示パネル１１０は、モールディング部材１７０に沿ってボトムシャーシ１５０の曲率に対応する曲率を有するように湾曲形成される。
【００４８】
このように、本発明の第１実施形態に係る曲面ディスプレイ装置１００は、図１のように、平面型表示パネル１１０が接着部材１８０によってモールディング部材１７０側に引っ張られると同時に、図２Ａのように、ボトムシャーシ１５０の曲率に対応する曲率が持続的に保持されてよい。
【００４９】
なお、図３を参照すると、曲面ディスプレイ装置１００は、トップシャーシ（ベゼル）を省略することができる。図３は、曲面ディスプレイ装置１００を正面から眺めた状態を示す。このように、ベゼルを省略することができる場合は、表示パネル１１０を駆動するための駆動印刷回路基板がＣＯＧ（Ｃｈｉｐ  ｏｎ  Ｇｌａｓｓ）タイプである場合に適している。すなわち、ＣＯＧタイプの駆動印刷回路基板は、表示パネル１１０のアレイ基板１１２およびカラーフィルタ基板１１４の大きさが同一であるため、ＣＯＦ（Ｃｈｉｐ  ｏｎ  Ｆｉｌｍ）タイプの駆動印刷回路基板のように端子を半田付け（ｓｏｌｄｅｒｉｎｇ）するための表示パネル１１０の端部に段差部分が形成されていないためである。後述の本発明に係る第４実施形態よおび第５実施形態の場合、ＣＯＦタイプの駆動印刷回路基板を適用する表示パネル１１０を備えたものとして、表示パネル１１０の段差部分を隠すために、トップシャーシ（ベゼル）を備える。
【００５０】
一方、上述の本発明に係る第１実施形態においては、モールディング部材１７０がボトムシャーシ１５０の曲率に応じて変形できるように、可とう性材質からなること例として挙げているが、それに限定されず、モールディング部材１７０が可とう性のない所定の硬度を有する硬い材質からなってよく、この場合、モールディング部材１７０はボトムシャーシ１５０の曲率に対応する曲率を有するように成形されるものが望ましい。
【００５１】
図４を参照すると、本発明に係る第１実施形態においては、ボトムシャーシ１５０の曲率が変形されることを防止するように、形状補強手段１９０を更に含んでよい。
【００５２】
形状補強手段１９０は、コア１９１と、コア１９１を覆うカバー部材１９３からなってよい。
【００５３】
コア１９１は、ボトムシャーシ１５０の床部１５１の内側に沿って付着され、このとき、ホットメルト接着剤のような接着剤によって付着されてよい。前記コア１９１は、構造的に最適の強度を維持しつつ、重さを軽量化できるように、複数の空間部に区画された構造、例えば、ハニーコーム（ｈｏｎｅｙ−ｃｏｍｂ）構造からなってよい。この場合、コア１９１は、各セルがハニーコーム（ｈｏｎｅｙ−ｃｏｍｂ）構造に限定されず、四角状の構造または円形の構造等に変更されてよい。
【００５４】
なお、図５のように、コア１９１ａは、コルゲーション（ｃｏｒｒｕｇａｔｉｏｎ）構造からなることも可能である。
【００５５】
このように、コア１９１、１９１ａは、強度に優れたアルミニウムで製作されてよく、それに限定されず、他の金属物質または非金属物質（例として、プラスチック）で製作されることも可能である。
【００５６】
カバー部材１９３は、コア１９１、１９１ａが露出されないようにコア１９１、１９１ａをカバーする。カバー部材１９３は、コア１９１、１９１ａと同一の材質を有してよい。よって、カバー部材１９３は、例として、アルミニウムで製造されてよい。そして、カバー部材１９３は、コア１９１、１９１ａに付着され、例として、ホットメルト接着剤のような接着剤を通じてコア１９１、１９１ａに付着されてよい。前記カバー部材１９３は、コア１９１、１９１ａをカバーすることにより、コア１９１、１９１ａに存在する可能性がある汚れ物質が表示パネル１１０の内部に流入することが防止することができる。
【００５７】
このように、曲面ディスプレイ装置１００は、形状補強部材１９０がボトムシャーシ１５０に装着されることにより、ボトムシャーシ１５０の強度を補強することができ、ボトムシャーシ１５０の変形量を最小化することができる。
【００５８】
本実施形態においては、形状補強部材１９０がコア１９１、１９１ａおよびカバー部材１９３を含むものとして説明したが、それに限定されずに、カバー部材１９３を省略してコア１９１、１９１ａのみからなることも可能である。
【００５９】
以下、図６Ａないし図９を参照し、本発明の第２実施形態に係る曲面ディスプレイ装置１００ａの構造を詳細に説明する。図６Ａは、本発明の第２実施形態に係る曲面ディスプレイ装置を示す断面図であり、図６Ｂは、図６Ａに示された部分“Ｂ”を示す拡大図である。
【００６０】
本発明の第２実施形態に係る曲面ディスプレイ装置１００ａは、第１実施形態と多くの構成が同様であり、ただ、表示パネル１１０を固定する構造において異なる。それにより、以下では、第１実施形態と異なる表示パネル１１０を固定するための構造について詳細に説明するが、第１実施形態と同様の構成については、同一の符号を付して、詳細な説明を省略する。
【００６１】
図６ａを参照すると、モールディング部材２７０は、表示パネル１１０とボトムシャーシ１５０との間に配置され、所定の剛性を有すると同時に、可とう性を有する材質からなるため、締結手段を通じてボトムシャーシ１５０に結合されると、ボトムシャーシ１５０が有する曲率に対応する形状で湾曲形成されてよい。
【００６２】
図６Ｂを参照すると、前記モールディング部材２７０は、略ボトムシャーシ１５０の外郭に対応する形状を有する第１部分２７１と、第１部分２７１の下端から所定の長さ伸長形成される第２部分２７３とを含む。この場合、第２実施形態においては、モールディング部材２７０に導光板１３２を支持するための支持リブを示していないが、モールディング部材２７０の内側に沿って支持リブ（図示せず）を伸長形成することも可能である。
【００６３】
図７を参照すると、前記モールディング部材２７０は、前記第１部分２７１の内側に沿って間隔を置いて突出形成される複数の結合突起２７５を備える。
【００６４】
図８および図９を参照すると、表示パネル１１０は背面の略エッジ部分に沿って間隔を置いて配置される複数の係止部材２１１が配置される。複数の係止部材２１１は、複数の結合突起２７５が結合されるように、略
（外１）
2014095901.tif 000003
字状からなる。この場合、複数の係止部材２１１は、両端２１１ａ、２１１ｂが表示パネル１１０の一定領域Ｓ１、Ｓ２にそれぞれボンディング（例えば、ＵＶ（ｕｌｔｒａｖｉｏｌｅｔ）ボンディング）を通じて固定される。
【００６５】
このように、第２実施形態の曲面ディスプレイ装置１００ａは、表示パネル１１０をモールディング部材２７０に固定する際、モールディング部材２７０の複数の結合突起２７５が複数の係止部材２１１にそれぞれ結合される。それにより、平板状の表示パネル１１０は、ボトムシャーシ１５０の曲率に対応する曲率で湾曲形成されたモールディング部材２７０側に引っ張られるようになると同時に、図６Ａのように、ボトムシャーシ１５０の曲率と略同一の曲率で湾曲された状態を保持することができる。
【００６６】
以下、図１０Ａないし図１１を参照し、本発明の第３実施形態に係る曲面ディスプレイ装置１００ｂの構造を詳細に説明する。図１０Ａは、本発明の第３実施形態に係る曲面ディスプレイ装置を示す断面図であり、図１０Ｂは、図１０Ａに示された部分“Ｃ”を示す拡大図である。
【００６７】
本発明の第３実施形態に係る曲面ディスプレイ装置１００ｂは、第１実施形態と多くの構成が同一だが、表示パネル１１０を固定する構造において異なる。それにより、以下では、第１実施形態と異なる表示パネル１１０を固定するための構造に対して詳細に説明するが、第１実施形態と同様の構成については、同一の符号を付して詳細な説明を省略する。
【００６８】
図１０Ａおよび図１０Ｂを参照すると、表示パネル１１０の背面のエッジ部分に沿って所定の間隔を置いて突出して配置される複数のフック部材３１１が備えられる。この場合、複数のフック部材３１１は、上述の第２実施形態の係止部材２１１とともに一端が表示パネル１１０の背面の所定領域にＵＶボンディング等を通じて付着固定されてよい。
【００６９】
モールディング部材３７０は、表示パネル１１０とボトムシャーシ１５０との間に配置され、所定の剛性を有すると同時に、可とう性を有する材質からなるため、所定の締結手段（図示せず）を通じて、ボトムシャーシ１５０に結合されると、ボトムシャーシ１５０が有する曲率に対する形状で湾曲形成されてよい。なお、前記モールディング部材３７０は、略ボトムシャーシ１５０の外郭に対応する形状を有する第１部分３７１と、第１部分３７１の下端から所定の長さ伸長形成される第２部分３７３とを含む。
【００７０】
図１１を参照すると、モールディング部材３７０は、第１部分３７１と第２部分３７３との略境界になる部分からモールディング部材３７０の内側に向かって支持リブ３７５が所定の長さ突出形成される。前記支持リブ３７５は、端部が導光板１３２を支持し、支持リブ３７５の上面には、前記複数のフック部材３１１がそれぞれスナップ結合される複数の結合溝３７７が形成される。
【００７１】
上記のように構成された第３実施形態の曲面ディスプレイ装置１００ｂは、表示パネル１１０をモールディング部材３７０に固定される際、表示パネル１１０の複数のフック部材３１１がモールディング部材３７０の複数の係止溝３７７にそれぞれスナップ結合される。それにより、平板状の表示パネル１１０は、ボトムシャーシ１５０の曲率に対応する曲率で湾曲形成されたモールディング部材２７０側に引っ張られるようになりつつ、図１０Ａのように、ボトムシャーシ１５０の曲率と略同一の曲率で湾曲された状態を維持することができる。
【００７２】
以下、図１２Ａおよび図１２Ｂを参照し、本発明の第４実施形態に係る曲面ディスプレイ装置１００ｃの構成を説明する。図１２Ａは、本発明の第４実施形態に係る曲面ディスプレイ装置を示す断面図であり、図１２Ｂは、図１２Ａに示された部分“Ｄ”を示す拡大図である。
【００７３】
図１２Ａを参照すると、第４実施形態に係る曲面ディスプレイ装置１００ｃは、第１実施形態と多くの部分で同じであり、トップシャーシ４００を更に備えていることで相違している。それにより、以下では、第１実施形態と同様の構成については、同一の符号を付して、詳細な説明を省略する。
【００７４】
上述の第１ないし第３実施形態のように、エッジ部分に段差部分が形成されていない表示パネル１１０を使用していた。それに対し、第４実施形態に係る曲面ディスプレイ装置１００ｃは、ＣＯＦタイプの駆動印刷回路基板を適用することにより、エッジ部分に段差部分が形成される表示パネル１１０を適用した例として、このような表示パネル１１０の段差部分が外部に露出しないように、前記段差部分を隠すためにトップシャーシ（または、ベゼル）４００を更に備える。
【００７５】
前記トップシャーシ４００は、ボトムシャーシ１５０の側壁１５３の外側面を包みつつ結合される第１部分４１０と、前記第１部分４１０からトップシャーシ４００の内側に向かって略直角方向に伸長形成される第２部分４３０を含む。
【００７６】
図１２Ｂを参照すると、トップシャーシ４００の第２部分４３０は、表示パネル１１０の段差部分が全て隠れる程度の長さで形成されることが望ましい。更に、前記第２部分４３０は、表示装置１１０の前面と微細な間隔を置くように配置されてよい。なお、第２部分４３０は、表示装置１１０を加圧していない状態で単に接触するように配置することも可能である。
【００７７】
このような第４実施形態の場合、表示パネル１１０は接着部材１８０を通じてモールディング部材１７０側に引っ張られた状態で、モールディング部材１７０に付着固定される。それにより、第４実施形態の表示パネル１１０は、第１実施形態の表示パネル１１０と同様に、ボトムシャーシ１５０の曲率と略同一の曲率を維持するようになる。
【００７８】
以下、図１３Ａないし図１４を参照し、本発明の第５実施形態に係る曲面ディスプレイ装置１００ｄの構造を説明する。図１３Ａは、本発明の第５実施形態に係る曲面ディスプレイ装置を示す断面図であり、図１３Ｂは、図１３Ａに示された部分“Ｅ”を示す拡大図であり、図１４は、図１３Ａに示すモールディング部材を示す斜視図である。
【００７９】
図１３Ａを参照すると、第５実施形態も第４実施形態と同様に、表示パネル１１０の段差部分を隠すことができるように、トップシャーシ４００を備える。しかし、第５実施形態では、表示パネル１１０を曲率を保持した状態で固定するための構造が第４実施形態と異なる。よって、以下では、第４実施形態と異なる表示パネル１１０を固定するための構造について詳細に説明するが、第４実施形態と同一の構成については、同一の符号を付して詳細な説明を省略する。
【００８０】
図１３Ｂを参照すると、モールディング部材５７０は所定の剛性を有すると同時に、可とう性を有する材質からなるため、所定の締結手段（図示せず）を通じてボトムシャーシ１５０に結合されると、ボトムシャーシ１５０が有する曲率に対応する形状で湾曲形成されてよい。なお、前記モールディング部材５７０は、略ボトムシャーシ１５０の外郭に対応する形状を有する第１部分５７１と、第１部分５７１の下端から所定の長さ伸長形成される第２部分５７３とを含む。
【００８１】
なお、モールディング部材５７０は、第１部分５７１と第２部分５７３との略境界になる部分からモールディング部材５７０の内側に向かって支持リブ５７５が所定の長さ突出形成される。前記支持リブ５７５は、端部が導光板１３２を支持する。
【００８２】
図１４を参照すると、前記モールディング部材５７０は、第１部分５７１の上端に沿って間隔を置いて複数の固定突起５７７が配置される。複数の固定突起５７７は、第１部分５７１の上端からモールディング部材５７０の内側に向かって伸長形成される。
【００８３】
このような第５実施形態の場合、表示パネル１１０は、モールディング部材５７０の複数の固定突起５７７によってモールディング部材５７０が固定される際、モールディング部材５７０側に引っ張られた状態で、モールディング部材５７０に付着固定される。それにより、表示パネル１１０は、第１ないし第４実施形態の各表示パネル１１０と同様に、ボトムシャーシ１５０の曲率と略同一の曲率を維持するようになる。
【００８４】
第５実施形態においては、固定突起５７７がモールディング部材５７０から伸長形成されるものとして説明したが、それに限定されずに、ボトムシャーシ１５０の側壁１５３の上端から複数の固定突起を突出形成することも可能である。この場合、側壁１５３に形成された複数の固定突起は、表示部材１１０のエッジ部分を把持できる程度の長さで形成することが望ましい。
【００８５】
一方、上述の第１ないし第５実施形態に係る曲面ディスプレイ装置１００、１００ａ、１００ｂ、１００ｃ、１００ｄは、添付図面で全てランドスケープタイプで示しているが、それに限定されず、ポートレートタイプで使用することも可能である。
【００８６】
上述のように、本発明においては、表示パネル１１０が曲率を有するように維持することにより、大型テレビの中央と左右側で発生する視覚差を克服することができる。
【００８７】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００８８】
１００、１００ａ、１００ｂ、１００ｃ、１００ｄ  曲面ディスプレイ装置
１１０  表示パネル
１１２  アレイ基板
１１４  カラーフィルタ基板
１１６  １偏光フィルム
１１８  第２偏光フィルム
１３０  エッジ型バックライトアセンブリ
１３２  導光板
１３４  印刷回路基板
１３４ａ  光源
１５０  ボトムシャーシ
１５１  床部
１５３  側壁
１５３ａ  側壁の先端
１７０  モールディング部材
１７１、２７１、３７１、４１０、５７１  第１部分
１７３、２７３、３７３、４３０、５７３  第２部分
１７５、３７５、５７５  支持リブ
１８０  接着部材
１９０  形状補強部材
１９１、１９１ａ  コア
１９３  カバー部材
２１１  係止部材
２１１ａ、２１１ｂ  両端
２７０、３７０、５７０  モールディング部材
２７５  結合突起
３１１  フック部材
３７７  結合溝
４００  トップシャーシ
５７７  固定突起
【図１】
2014095901.tif 000004
【図２Ａ】
2014095901.tif 000005
【図２Ｂ】
2014095901.tif 000006
【図３】
2014095901.tif 000007
【図４】
2014095901.tif 000008
【図５】
2014095901.tif 000009
【図６Ａ】
2014095901.tif 000010
【図６Ｂ】
2014095901.tif 000011
【図７】
2014095901.tif 000012
【図８】
2014095901.tif 000013
【図９】
2014095901.tif 000014
【図１０Ａ】
2014095901.tif 000015
【図１０Ｂ】
2014095901.tif 000016
【図１１】
2014095901.tif 000017
【図１２Ａ】
2014095901.tif 000018
【図１２Ｂ】
2014095901.tif 000019
【図１３Ａ】
2014095901.tif 000020
【図１３Ｂ】
2014095901.tif 000021
【図１４】
2014095901.tif 000022